(57)【特許請求の範囲】
【請求項１】
底面部と、
前記底面部の上方に設けられ、上辺に備えた回動軸を中心に前後方向に回動する開閉蓋と、
前記開閉蓋の回動可能範囲に設けられた第一の回動規制部材とを有するコイン返却装置であって、
前記開閉蓋は略垂直位置で自重により静止し、
前記底面部は前記開閉蓋が静止する位置の後方側が側面視で前記回動軸を中心とした円の円弧形状の湾曲面で形成され、且つ、前記開閉蓋が静止する位置の前方側が前方ほど低くなる傾斜面で形成され、
さらに、
前記開閉蓋が静止位置よりも前方に回動したときに、前記開閉蓋がさらに前方へ回動することを規制する位置に前記第一の回動規制部材を備えたことを特徴とするコイン返却装置。
【請求項２】
前記開閉蓋が矩形状の板状部材で形成され、
前記湾曲面と、前記開閉蓋が後方に回動するときの前記開閉蓋の下辺の回動軌跡とを、
前記回動軸を中心とした同心円上に形成したことを特徴とする請求項１ に記載のコイン返却装置。
【請求項３】
第二の回動規制部材を有し、
前記第二の回動規制部材は、静止位置よりも前記開閉蓋が後方に回動した位置で、前記開閉蓋の後方への回動を規制する位置に設けられたことを特徴とする請求項１または２に記載のコイン返却装置。
【発明の詳細な説明】
【技術分野】
【０００１】
本発明は、コイン作動式機械等のコイン返却口の開閉蓋を前後に回動させて、使用者が払い出されたコインを取り出すコイン返却装置に関するものである。
【背景技術】
【０００２】
従来、硬貨返却口を硬貨返却口開閉蓋が閉塞しうるように、該硬貨返却口開閉蓋の両側上端部から上方へ延設した側板を介して、筐体の硬貨返却口の上縁近傍に回動自在に取付けると共に、前記二つの側板の各対向壁から中間において所定の間隙を隔てて対向するようにコイルバネ装着棒を突設し、コイルバネの一端側を一方のコイルバネ装着棒に装着し且つ該コイルバネの他端側を他方のコイルバネ装着棒に捻りを加え所定復帰力を付与した状態で装着し、前記コイルバネの一端側の係止部で筐体側を押圧させ、コイルバネの他端側の係止端部で硬貨返却開閉蓋を押圧させて硬貨返却口を閉塞する方向の回動力を付与した硬貨返却開閉蓋の取付構造が知られている（
例えば、特許文献１参照。） 。
【０００３】
【特許文献１】実開昭５８−１０５６７６号公報(第１頁、第１図）
【発明の開示】
【発明が解決しようとする課題】
【０００４】
特許文献１に記載の硬貨返却開閉蓋の取付け構造では、開閉蓋が押し込まれた際の、開閉蓋の下辺の側面視での回転軌跡は円弧形状である。一方、返却硬貨受け本体は側面視で略矩形状となっている。このため、開閉蓋が押し込まれた際の開閉蓋の下辺と返却硬貨受けとの間にできる隙間は、押し込み位置によって変化する。このような構成であると、使用者が返却硬貨受けのコインを取ろうとする際に、開閉蓋を指で押し込むことで開閉蓋と返却コイン受け本体との間に指が挟まれてしまうことがあった。
【０００５】
本発明の目的は、使用者が開閉蓋を押し込んだ際に、開閉蓋とコイン返却ボックスの底部との間隙に、使用者の指が挟まれることがないコイン返却装置を提供することにある。
【課題を解決するための手段】
【０００６】
上記課題を解決するために、本発明に係るコイン返却装置は、底面部と、該底面部の上方に設けられた開閉蓋とを有するコイン返却装置において、前記開閉蓋は上辺に回動軸が形成され前記回動軸を中心に前後方向に回動可能であり静止した状態で略垂直位置に位置し、前記底面部は前記開閉蓋が静止した位置よりも後方位置に側面視で前記回動軸を中心とした円の円弧形状に形成された湾曲面を有し、さらに前記底面部が前記開閉蓋が静止した位置よりも前方位置に前方ほど低くなる傾斜面を有することを特徴とする。
【０００７】
コイン返却装置の底面部の開閉蓋よりも後方に位置する部分の形状を、開閉蓋の回動軸を中心とした円の円弧形状とする。このような構造とすることで、開閉蓋を回動させた際に、開閉蓋の下端とコイン返却装置の底面との間の隙間の長さが常に一定となるため、万が一隙間に指が挟まったとしても指が抜けなくなることのない安全な構造となる。
【０００８】
また、より好適には、本発明に係るコイン返却装置は、前記開閉蓋が矩形状の板状部材で形成され、前記湾曲面と、前記開閉蓋が後方に回動された際の開閉蓋の下辺の回動軌跡とが、前記回転軸を中心とした同心円上に位置することを特徴とする。
【０００９】
また、より好適には、本発明に係るコイン返却装置は、前記開閉蓋の回動可能範囲内の前記開閉蓋の静止した位置よりも後方の位置に、前記開閉蓋の後方への回動を規制する後方回動規制部材が設けられたことを特徴とする。
【００１０】
また、より好適には、前記開閉蓋の回動可能範囲内の前記開閉蓋が静止した位置よりも前方の位置に、前記開閉蓋の前方への回動を規制する前方回動規制部材が設けられたことを特徴とする。
【発明の効果】
【００１１】
以上のように本発明に係るコイン返却装置によれば、使用者が開閉蓋を押し込んだ際に、使用者の指がコイン返却ボックスの底部と開閉蓋とに挟まれて抜けなくなることはなく、使用者が安全にコインを取り出すことができる。
【発明を実施するための最良の形態】
【００１２】
以下、図面を参照しつつ、本発明の一実施形態を詳細に説明する。以下の説明において「コイン」とは、一般的な硬貨の他に遊戯の結果などに応じて付与される遊戯用メダルなども包含する。また、「コイン」とは直径が約２０ｍｍ〜約３２ｍｍ程度で、厚みが約１．５ｍｍ〜２ｍｍ程度の平面視略円形や平面視多角形形状の硬貨や遊戯用メダルを想定している。また、以下の説明について、前後方向、上下方向及び左右方向に言及している場合には、コイン返却装置の開口部に向かって立つ使用者からみた方向を意味する。
【００１３】
図１は、本発明に係るコイン返却装置１の右後方の上方から見た斜視図を示す。なお、図１に関しては説明のために、図中で手前側に位置する右側の側面を省略して記載している。また図２は、本発明に係るコイン返却装置１の右側面図を示す。
【００１４】
本発明におけるコイン返却装置１は、自動販売機や硬貨作動式遊戯用筐体などに設けられた開口に取付けられる。自動販売機などに取付けられたコイン返却装置１は、上方から落下してくるコイン１００を受け、コイン返却装置１の前面に設けられた開口部２から使用者に対してコイン１００の返却を行う。以下、説明において使用者とは本発明に係るコイン返却装置を使用し、自動販売機等からコイン１００を返却させる動作を行う者である。
【００１５】
本発明に係るコイン返却装置１は、コイン受入箱１０と開閉蓋２０とで構成されている。コイン受入箱１０は、正面に開口部２が設けられた奥行きが約１２ｃｍ、横幅が約５ｃｍ、高さが約７ｃｍの略直方体形状の後ろ下辺に湾曲を持たせている。コイン受入箱１０の底面は、前方側の略半分が水平平面であり、後方側の半分が側面視で中心角９０度の扇形の円弧形状となる上り傾斜を有した底面部１１により構成されている。また、コイン受入箱１０の側面は、側面視で半径７ｃｍの円の右下の左側辺を左方に５ｃｍ平行移動してできる図形状の左右の側面部１３ａ、１３ｂにより構成されている。
【００１６】
底面部１１の前方端には開口部２の下辺を形成する突段差部１２が設けられている。この突段差部１２はメダルの厚さとほぼ同じ程度の高さを有しており、メダルが開口部から落下するのを防ぐことができる。
【００１７】
さらに、コイン受入箱１０の上面は奥側の略半分に開口が形成された上面部１４により構成されている。底面部１１の後部に設けられた傾斜部分の上方に、上面部１４に設けられた上面開口部１５が形成されている。コイン受入箱１０は、その上方から返却されたコイン１００が、上面開口部１５を通過して進入し、開口部２から使用者にコイン１００が返却される構造となっている。
【００１８】
開閉蓋２０は、前後方向でコイン受入箱１０のほぼ中央の位置の左右両側面部１３ａ、１３ｂの上部に水平に架渡された水平回動軸２１に軸支され取付けられている。また、開閉蓋２０の上下方向の長さは、回動軸２１から底面部１１に下ろした垂線の長さと比して若干短い長さとなっている。
【００１９】
上記のような構成により、回動軸２１を回動中心として開閉蓋２０の下辺部２３が前後方向に回動可能となっている。両側面部１３ａ、１３ｂに架渡して軸着された開閉蓋２０は、通常状態において開閉蓋の自重によって略垂直位置に静止する。以下、通常状態で開閉蓋２０の静止する位置を静止位置と呼称する。また略垂直位置に開閉蓋２０が静止した状態を静止状態と呼称する。
【００２０】
以下、コイン受入部１０の構成について詳細に説明する。コイン受入部１０の底面部１１は、開閉蓋２０の静止位置を境界として、その前方と後方でそれぞれ傾斜面１１ａと、湾曲面１１ｂとに区別される。
【００２１】
傾斜面１１ａには、その前端に突段差部１２が設けられている。突段差部１２は、底面の最前端に形成された略直方体形状の突段差１２である。突段差部１２の左右の幅の長さは開口部２の幅と等しい。また、突段差部１２の前後方向の長さ及び、その高さは、それぞれコインの厚み（１．５ｍｍ〜２ｍｍ程度）とほぼ同じ長さである。
【００２２】
突段差部１２の後端から開閉蓋２０の静止位置までの距離は、前後方向に約コイン１枚分の長さ（約３０ｍｍ〜３５ｍｍ）だけある。突段差部１２の後端から開閉蓋２０の静止位置までの間の傾斜面１１ａの形状は、前方から後方にかけて水平平面に対して略５度の傾きを有する緩やかな下り傾斜となっている。
【００２３】
湾曲面１１ｂは、傾斜面１１ａのさらに後部に連なって設けられている。湾曲面１１ｂは、後方部に向けて傾斜面１１ａに比してより急な断面形状で凹面状の上り傾斜を形成している。回動軸２１から真下に下ろした直線と底面部１１が交差する位置から湾曲面１１ｂの上り傾斜が始まる。
【００２４】
図２の側面図に表したように、この後方への上り傾斜は、回動軸２１を中心点として、中心点から真下に下ろした垂線が底面部１１と交差する点と、中心点とを結ぶ線分を半径として描かれる円の１／４の円弧形状となっている。
【００２５】
湾曲面１１ｂは、回動軸２１から真下に下ろした直線が底面部１１とが交差する点を始端とし、そこから側面視で中心角が９０度分の扇形の円弧形状になるような上り傾斜に湾曲している。湾曲面１１ｂを凹面状に上面に向けて上り傾斜をした終端は上面部１４に連設し、上面部１４の後方の一辺を形成している。このように傾斜面１１ａと湾曲面１１ｂとが一体に成形されることで、底面部１１が構成されている。
【００２６】
側面部１３ａ及び１３ｂには略円柱形状のストッパー部１６が突設されている。ストッパー部１６は、開閉蓋２０の静止位置よりも前方に２箇所、後方に２箇所設けられている。側面部１３ａ及び１３ｂのそれぞれに２箇所ずつストッパー部１６が設けられている。すなわち、１つのコイン受入部に対し４箇所のストッパー部１６が設けられている。
【００２７】
ストッパー部１６が設けられることにより、使用者が開閉蓋２０を押し込んだ際に、開閉蓋２０が必要以上に後方に回動してしまうことを防ぐことができる。また、上方からコイン１００が落下した際に底部１１にコイン１００が跳ね返り、開閉蓋２０の背面に衝突した際に、開閉蓋２０が必要以上に前方へ回動することを防ぐことができる。
【００２８】
以下、開閉蓋２０の静止位置よりも前方に配されているストッパー部１６を前方規制部１７と、静止位置よりも後方に配されているストッパー部１６を後方規制部１８と呼称する。左右の両側面に設けられた前方規制部１７ａ、１７ｂはそれぞれ相対する位置に設けられている。開閉蓋２０が静止位置よりも前方に略１３度回動した際に、開閉蓋２０の前面が前方規制部１７に当接する。このように開閉蓋２０は前方規制部１７よりも前に回動することがない。
【００２９】
また、左右の両側面に設けられた後方規制部１８ａ、１８ｂはそれぞれ相対する位置に設けられている。開閉蓋２０が静止位置よりも約６０度後方に回動した際に、開閉蓋２０の背面が後方規制部１８に当接する。このように開閉蓋２０は後方規制部１８よりも後ろに回動することがない。
【００３０】
上記のように開閉蓋２０の後方への回動を規制する手段として後方規制部１８が設けられることで、使用者が開閉蓋２０を押し込んだ際に、開閉蓋２０が必要以上に後方に回動してしまうことを防ぐことができる。
【００３１】
同様に、開閉蓋２０の前方への回動を規制する手段として前方規制部１７が設けられることで、開閉蓋２０が必要以上に前方に回動してしまうことを防ぐことができる。
【００３２】
上記では各ストッパー部１６の形状を円柱形状の突起としたが、規制手段としての効果を生じる形状であればいかなる形状のものでもよい。すなわち、両ストッパー間の間隙が開閉蓋の幅よりも狭くなっていれば、例えば、球形状や直方体形状、立方体形状のストッパーを設けることでも代用が可能である。
【００３３】
また、ストッパー部１６を形成する部分も側面部１３ａ、１３ｂに限られずその他の部分であってもよい。例えば底面部１１の、開閉蓋より前方と後方の２箇所に前方規制部１７及び後方規制部１８を設けることでも同様の効果を得ることができる。
【００３４】
開閉蓋２０の左右幅はコイン受入部１０の内寸幅より若干狭く構成されており、開閉蓋２０の左右辺と各側面部１３ａ、１３ｂとの間には多少の隙間が生じる。しかし、開閉蓋２０の左右辺各側面部１３ａ、１３ｂとの間にできる隙間は、開閉蓋２０が回動動作を行う際に側面部保たれている。そのため、開閉時に開閉蓋２０の左右辺各側面部１３ａ、１３ｂとの間にできる隙間に使用者が指を挟むことはない。
【００３５】
図３は、上面開口部１５を通じてコイン受入部１０にコイン１００が落下する際の様子を表した側面図である。例えば使用者が遊戯筐体等の図示しないコイン投入口にコイン１００の投入を行った際に、投入したコイン１００が曲がっていると、コイン１００が詰まってしまうことがある。こうした時に使用者がコイン詰まり解消のため図示しない返却ボタンを押すと、コイン詰まりを引き起こしたコイン１００がコイン返却装置１に払いだされる。
【００３６】
また、自動販売機において釣銭の返却のために使用者が返却レバーを操作することや、釣銭返却ボタンを押圧すること等のコイン返却操作を行うと、自動販売機等から返却されたコイン１００が払い出される。さらに、遊戯機においては、遊戯者が返却レバーの操作を行った場合や、コイン１００を遊戯のために必要な枚数以上投入した際に、自動的に返却を行う場合などに遊戯筐体よりコイン１００が払い出される。
【００３７】
前述のように、コイン受入部１０の上面部１４の奥側には上面開口部１５が設けられている。上面開口部１５を通してコイン受入部１０に落下したコインは、コイン受入部１０の湾曲面部１１ｂに落下する。コイン１００は落下の際の反動で前方に向けて跳ね返る。前方に跳ね返ったコイン１００は湾曲面部１１ｂの前方に配置された開閉蓋２０の後面に衝突し、開閉蓋２０を前方に回動させる。
【００３８】
後方からコイン１００が衝突した際に、前方に回動した開閉蓋２０は、開閉蓋２０よりも前方に設置された前方規制部１７に衝突し止まる。このため開閉蓋２０は前方規制部１７よりも前に回動することなく、自重により静止位置へと戻る。
【００３９】
コイン１００は開閉蓋２０に衝突する事により落下の際の勢いが吸収される。こうしてコイン返却装置１に対し、上面開口部１５の上方から落下してきたコインは、開閉蓋２０と衝突した際の下方位置付近の底面部１１上に静止する。
【００４０】
上述の通り、開閉蓋２０がコイン返却装置１の内部に配置されていることで、コイン返却装置１の上方より落下してきたコイン１００が湾曲部１１ｂに落下して跳ね返った際に、返却口から筐体の外方へ飛び出すことを防ぐことができる。また、開閉蓋２０が前方向に回動軸を中心に回動可能に吊設されているため、落下してきたコイン１００との衝突の際の衝撃を適度に吸収することができる。
【００４１】
開閉蓋２０に衝突することで落下の勢いがなくなったコイン１００は、傾斜面１１ａと湾曲面１１ｂの境目付近で一度静止する。しかし傾斜面１１ａは常に後方から前方に向けて下りの傾斜を有しているため、一旦傾斜面１１ａ上に静止したコイン１００が自重により前方に向けて滑動する。
【００４２】
底面１１の前端には突段差部１２が設けられており、一旦静止した後に、傾斜により前方へ滑動したコイン１００は、開閉蓋２０の下端に衝突して開閉蓋２０を前方に回動させる。開閉蓋２０が前方に回動すると、通常時の静止状態よりも開閉蓋２０と底面との隙間が長くなり、コイン１００がこの隙間を通り開閉蓋２０の前方に移動する。
【００４３】
前方に滑動したコイン１００は開閉蓋２０の突段差部１２に当接する。コイン１００が滑動した後に、コイン１００は突段差部１２に当接した状態で完全に静止する。
【００４４】
以上のようにコイン１００が完全に静止した際に、コイン１００の全体またはその一部が開閉蓋２０の静止位置より前方に位置する。したがって使用者は開閉蓋２０より前方に露出した部分を指で掴み、コイン返却装置１からコイン１００を取り出すことができる。
【００４５】
また、コイン１００が一旦静止した後に前方に向けて滑動を行うことなく、湾曲面１１ｂ上で完全に静止することも考えられる。このとき、コイン１００は静止した状態で湾曲面１１ｂ上の開閉蓋２０よりも後方に位置する。使用者はこのままではコインを取り出せないため、使用者は指５０で開閉蓋２０を後方に押し込む。
【００４６】
開閉蓋２０を後方に押し込むと開閉蓋２０の静止位置よりも後方に静止したコイン１００に開閉蓋２０の背面が衝突し、コイン１００の滑動を促がす。このように開閉蓋２０の背面に衝突したコイン１００は前方に向って滑動し開閉蓋２０の前方位置に移動する。
【００４７】
図４は、開閉蓋２０の後方に静止したコイン１００を使用者が取り出す際の様子を表した側面図である。静止状態では開閉蓋２０の下辺部２３と湾曲面１１ｂとの間の隙間はおよそ２ｍｍで、コインの厚さは１．６ｍｍである。開閉蓋２０が前方規制部１７に当接した状態では、開閉蓋２０の下辺部２３と傾斜面１１ａとの隙間はおよそ３ｍｍである。
【００４８】
このように開閉蓋２０の下端部と湾曲面１１の上面との隙間は、コインの厚み（１．５ｍｍ〜２ｍｍ程度）よりも長く設定されている。そのため開閉蓋２０が通常状態で静止した状態においては、開閉蓋２０の下端部と底部１１の上面との隙間にコイン１００が位置することがある。
【００４９】
コイン１００が静止状態になった後に、図４に示すように使用者は指５０で開閉蓋２０を押し込むことができる。使用者が指５０で開閉蓋２０を押し込むことでコイン１００全体またはその一部が開閉蓋２０より前面に露出する。このため指５０で開閉蓋２０を押し込んだ状態から、使用者が底面部１１を擦る様に指５０を手前方向に移動させることでスムーズにコイン１００の回収を行うことができる。
【００５０】
開閉蓋２０はコイン返却装置１内に配置されているため、開閉蓋２０の上下方向の長さは、回動軸２１から湾曲面１１ｂまでの長さよりも若干短くなっている。前述の通り、湾曲面１１ｂは、側面視で回動軸２１を中心とした円の円弧上に重なるように配置されている。また、開閉蓋２０は回動軸を中心に回動できるように設けられている。
【００５１】
したがって、開閉蓋２０が回動した際に開閉蓋２０の下端が移動する軌跡と、湾曲面１１ｂとは同心円上に位置する。このため開閉蓋２０を後方に移動させた際の、湾曲面１１ｂと開閉蓋２０の下端との隙間は常に一定の長さであり、押し込んだ位置によって変化することがない。
【００５２】
このように湾曲面１１ｂと、開閉蓋２０の下端との隙間が常に一定になるように設けられているため、この隙間よりも厚みのある使用者の指５０が隙間に入り込むことを防止することができる。例えば一般に０歳児の小指爪の厚さの最小値であるという３．９ｍｍという値が紙用シュレッダーの設計基準として用いられる。
【００５３】
前述したように隙間の長さを３．０ｍｍとし、上記の基準値よりも隙間の長さを短くしたことため、開閉蓋の下端とスロープ部との隙間に人の指５０が挟まることを防止することができる。
【００５４】
ここで、メダルの厚さは前述したように約１．６mmであるため、隙間の長さを上記の基準値３．９ｍｍ以下に設定しても、メダルは隙間を通過することができる。従って、使用者が指５０を挟むことなくメダルの回収を行うことが可能となる。
【００５５】
前述したように本発明に係るメダル返却装置１は開閉蓋２０の下端と湾曲面１１ｂの上面との隙間の長さが一定である。そのため、仮に指５０を挟んでしまったとしても、使用者は指５０を容易に引き抜くことができる。
【００５６】
図５は複数枚のコインを遊戯用筐体等から払い出した場合の様子を表した側面図である。図５は３枚のコイン１００ａ、１００ｂ、１００ｃが返却された様子を表している。コイン１００ａはコイン返却後に湾曲面１１ｂ上から滑動して突段差部１２に当接する位置で静止している。コイン１００ａはコイン返却装置への落下後に湾曲面１１ｂ上から滑動して開閉蓋２０よりも前方で静止する。または、コイン１００ａが払い出された後に払い出されたコイン１００ｂ及び１００ｃに押されて、コイン１００ａが開閉蓋２０よりも前方で静止する。
【００５７】
コイン１００ｂは、コイン１００ａに続いて返却が行われ、コイン１００ａを前方に押している状態で静止している。コイン１００ａは突段差部１２に当接しているため自重だけでは前方にはこれ以上移動することはできない。このため、コイン１００ｂはコイン１００ａに連なるように、開閉蓋２０の下方位置で静止している。
【００５８】
ここで、コイン１００ｂは前方が傾斜面１１ａに、後方が湾曲面１１ｂ上に位置しているため底面の傾斜の関係により、コイン１００ｂは後方が前方に比して高い位置にて傾斜を有した状態で静止する。コイン１００ｂの前端は３〜５ｍｍ程度、開閉蓋２０より前方に露出している。
【００５９】
次にコイン１００ｃはコイン１００ｂが払い出されたさらに後に遊戯筐体等から払い出される。コイン１００ｃが払い出される際には、コイン１００ａ、１２２ｂは既に底面部１１上に載置された状態にある。コイン１００ａ、１２２ｂは既に底面部１１上に載置された状態で、さらにコイン１００ｃが払い出されるとコイン１００ｂの上部に重なった状態で静止する。このとき、コイン１００ｃは開閉蓋２０の背面に当接して開閉蓋２０を前方に押出すため、コイン３枚が払いだされた状態で、開閉蓋２０は前方規制部１７に規制される位置まで前方に回動した状態となる。
【００６０】
図５に示したように複数枚のコイン１００ａ〜１２２ｃが返却された場合には、使用者はまず開閉蓋２０よりも前方に位置し、全体を露出して静止しているコイン１００ａを指５０でつまんで回収することが可能である。
【００６１】
コイン１００ａを回収すると、コイン１００ａにより前方への滑動ができなかったコイン１００ｂが前方に滑動可能となる。コイン１００ｂによる自重と、コイン１００ｂの上部に重なっているコイン１００ｃの重みとにより、コイン１００ｂが前方方向に滑動を行う。
【００６２】
コイン１００ｂは前方に滑動を行うと、コイン１００ｂの一部、または全体が開閉蓋の前面に露出する。使用者はコイン１００ｂの前方部分を指５０で押さえて引き出すことでコイン１００ｂを回収することができる。
【００６３】
コイン１００ｂが前方に滑動する際に、図５に示すようにコイン１００ｃは開閉蓋２０の下端部に係留されるため、コイン１００ｂと同時には開閉蓋２０と底面部１１との隙間を通ることはできない。コイン１００ｂが前方に滑動すると、コイン１００ｃは自重でコイン１００ｂの上部から底面部１１に落ち、コイン１００ｂが引き出し動作をされる前に静止していた位置にコイン１００ｃが静止する。
【００６４】
このように残り１枚となったコイン１００ｃは、その前方部が開閉蓋２０よりも前方に位置している場合に使用者が指５０で、露出している前方部をつまんで回収することができる。また、コイン１００ｃが開閉蓋２０よりも後方に位置する場合には、使用者が指５０で開閉蓋２０を押し込むことで、コイン１００ｃの滑動を促がし、コイン１００ｃが前方に移動する。こうして開閉蓋２０の通常時の静止位置より前方にコイン１００ｃが移動し、こいん１００ｃの全体またはその一部が露出して使用者がコイン１００ｃを回収することができる。
【００６５】
上記のような手順でメダルの回収を行う際に、本発明に係るコイン返却装置１は、湾曲面１１ｂと、開閉蓋２０の下端との隙間が常に一定となる構成であるため、この隙間よりも厚みのある使用者の指５０が挟まることを防止できる。
【００６６】
仮に幼児が誤って本発明に係るコイン返却装置１に指５０を入れてしまった場合にも、湾曲面１１ｂと、開閉蓋２０の下端との隙間には指５０が入らない長さに設定されている。さらに仮に無理やり押し込むなど指５０に圧力がかかり隙間に指５０が入ってしまった場合であっても、湾曲面１１ｂと開閉蓋２０の下端との隙間の長さが常に一定であるために、指５０を容易に引き抜くことができる構造となっている。
【００６７】
本発明に係るコイン返却装置１は開閉蓋２０の前方に、前方規制部１７が設けられており、一定以上前方に開閉蓋２０が回動することを防ぐことができる。開閉蓋２０が前方に回動した際に、湾曲面１１ｂと開閉蓋２０の下端との隙間の長さが最大となりコイン１枚分が通過することができる程度となる。したがってコイン１００を湾曲面１１ｂと開閉蓋２０の下端との隙間から１枚ずつ取り出すことができる。そのため、複数枚のコイン１００の返却があった際にも、開閉蓋２０が後方に回動できなくなることがなくコイン１００を１枚ずつスムーズに取り出しを行うことが可能となる。
【図面の簡単な説明】
【００６８】
【図１】本発明に係るコイン返却装置の右後方から見た斜視図である。
【図２】本発明に係るコイン返却装置の右側面図である。
【図３】コイン受入部にコインが落下する際の様子を表した右側面図である。
【図４】静止したコインを使用者が取り出す際の様子を表した右側面図である。
【図５】複数枚のコインを払い出す際の様子を表した右側面図である。
【符号の説明】
【００６９】
１          コイン返却装置
２          開口部
１０        コイン受入部
１１        底面部
１１ａ      傾斜面
１１ｂ      湾曲面
１２        突段差部
１３ａ、ｂ  側面部
１４        上面部
１５        上面開口部
１６        ストッパー部
１７        前方規制部
１８        後方規制部
２０        開閉蓋
２１        回動軸
２２        上辺部
２３        下辺部
１００      コイン
【図１】
0005433967.tif 000002
【図２】
0005433967.tif 000003
【図３】
0005433967.tif 000004
【図４】
0005433967.tif 000005
【図５】
0005433967.tif 000006